(57)【要約】      （修正有）【課題】鎌部材が突出した施錠位置で引き戸を閉めても、それが受け金具に衝突せず、損傷しない、構造簡易で、堅牢な錠装置を提供する。【解決手段】鎌部材６とハンドル７は、錠ケース４に枢軸で枢支され、施錠位置と解錠位置間を回動する。ハンドル７は、その自重で鎌部材６を常時解錠位置側へ回動付勢する。鎌部材６が係脱する受け部材３は、摺動斜面１６ｂを具備する。錠ケース４内の磁石ホルダは、可動磁石を保持して鎌部材６と一体回動する。可動磁石が、錠ケース４に固着されたいずれかの固定磁石に吸着し、鎌部材６を施錠位置又は解錠位置に保持する。鎌部材６が施錠位置にあって引き戸Ｄが閉じられると、摺動斜面１６ｂに押し上げられ、ハンドル７の自重で解錠位置に回動し、磁石で保持される。【選択図】図１
2019183498.tif 000002
【特許請求の範囲】
【請求項１】
引き戸に固定される錠ケースと、当該錠ケースに枢軸により前記引き戸から突出した下方の施錠位置と前記引き戸の位置側へ引き込まれた上方の解錠位置との間を回動可能に支持される鎌部材と、当該鎌部材を施錠位置と解錠位置との間で回動させるように当該鎌部材と一体回動可能に設けられるハンドルとを具備する錠本体と、
前記引き戸を閉めたときに前記錠本体に対向するように戸枠に固定され、前記ハンドルの操作で回動する前記鎌部材が係脱可能な受け部材とを具備し、
前記錠本体はさらに、前記錠ケース内において可動磁石を保持して前記ハンドル及び前記鎌部材と一体に施錠位置と解錠位置との間を回動する磁石ホルダと、施錠位置と解錠位置において前記可動磁石にそれぞれ吸着して前記鎌部材を施錠位置又は解錠位置に保持するように前記錠ケース内に固着される第１及び第２の固定磁石とを具備し、
前記ハンドルは、前記枢軸を挟んで前記鎌部材と反対側へ延出し、その自重で前記鎌部材を常時解錠位置側へ回動付勢するように設けられ、
前記受け部材は、前記鎌部材が前記引き戸から突出した施錠位置にあって前記引き戸が閉じられるとき、前記鎌部材の先端部が上方へ摺接してこれを解錠方向へ所定角度回動させる摺動斜面を具備し、
前記鎌部材は、前記摺動斜面により所定角度押し上げられると、前記ハンドルの自重により解錠位置まで回動し、前記第２の固定磁石に保持されるように設けられることを特徴とする引き戸用錠装置。
【請求項２】
前記ハンドルは、前記枢軸に枢支される基端側において、前記鎌部材の基端側をそれの延伸方向に所定区より移動自在に受け入れると共に、当該鎌部材をそれの先端方向へ付勢するばねを保持する受け凹部を具備し、
前記鎌部材が施錠位置において前記受け金具の斜面に衝突したとき前記ばねを圧縮して衝突の衝撃が緩衝されるように構成されることを特徴とする請求項２に記載の引き戸用錠装置。
【請求項３】
前記鎌部材は、前記ハンドルの受け凹部内において前記枢軸と同心上のガイドピンを貫通させる延伸方向の長孔を具備し、施錠位置において前記受け金具の斜面に衝突したとき前記ばねを圧縮して衝突の衝撃が緩衝されるように設けられることを特徴とする請求項２に記載の引き戸用錠装置。
【請求項４】
前記鎌部材と前記ハンドルは、施錠位置においてほぼ水平に直線状に延び、解錠位置において垂直にほぼ直線状に延びるように、前記枢軸を中心に９０°回動自在に設けられることを特徴とする請求項１ないし３のいずれかに記載の引き戸用錠装置。
【発明の詳細な説明】
【技術分野】
【０００１】
本発明は、ハンドルを回すことにより引き戸からその前方へ鎌部材を突出させて戸枠に埋設された受け部材に鎌部材を掛けて施錠するチューブラ型の引き戸用錠装置に関する。
【背景技術】
【０００２】
従来、鎌部材先端の鉤形状部が突出した状態で引き戸を閉めた際、鎌部材の先端が戸枠側の受け金具に衝突しても、鎌部材自身や受け金具が損傷することがない引き戸用錠装置として、特許文献１に記載されるものが知られている。
この錠装置においては、施解錠を操作するハンドルの回転を錠ケース内のハブを介して鎌部材の施解錠動作として伝える。ハブは、施錠位置と解錠位置との間の所定の回転位置において死点を超えて付勢ばねで反対方向へ回転付勢される。鎌部材は、ガイドピンを介してケースのガイド用の長孔に移動自在に係合しており、ハブの回動によってこの長孔に沿い、前後に移動し、前方位置でケースから突出する。鎌部材は、前方移動時に長孔の湾曲に沿って上方に回動して戸枠の受け金具に係合し、ハブと共にばねで施錠位置に保持される。鎌部材がケースから前方へ突出した施錠位置にある状態で引き戸を閉めると、鎌部材の先端が受け金具に衝突するが、鎌部材は、これに押されてハブを解錠方向へ回転させながら後方へ移動し錠ケース内に没入する。この間、ハブは死点を超え、鎌部材と共に、ばねで解位置に保持される。
【先行技術文献】
【特許文献】
【０００３】
【特許文献１】実用新案登録第３０９１４４２号公報
【発明の概要】
【発明が解決しようとする課題】
【０００４】
上記従来の引き戸用錠装置は、比較的複雑な構造で製造コストを高める難点がある。
したがって、本発明は、鎌部材が突出した状態で引き戸を閉めても、鎌部材の先端が戸枠側の受け金具に強く衝突せず、鎌部材や受け金具が損傷することがない引き戸用錠装置であって、簡易な構造で、故障が生じにくく、安価なものを提供することを課題としている。
【課題を解決するための手段】
【０００５】
以下、添付図面の符号を参照して説明するが、本発明はこれに限定されるものではない。
上記課題を解決するための、本発明の引き戸用錠装置１は、引き戸Ｄに固定される錠本体２と、引き戸Ｄを閉めたときに錠本体２に対向するように戸枠Ｆに固定される受け部材３とを具備する。錠本体２は、引き戸Ｄに固定される錠ケース４と、当該錠ケース４に枢軸５で枢支され、下方の施錠位置と上方の解錠位置との間を回動可能な鎌部材６と、当該鎌部材６を施錠位置と解錠位置との間で回動させるように鎌部材６と一体回動可能に設けられるハンドル７とを具備する。受け部材３は、ハンドル７の操作で回動する鎌部材６が係脱可能である。本体２はさらに、錠ケース４内において可動磁石１２を保持する磁石ホルダ１１と、錠ケース４内に固着される第１及び第２の固定磁石１３，１４とを具備する。磁石ホルダ１１は、ハンドル７及び鎌部材６と一体に施錠位置と解錠位置との間を回動する。固定磁石１３，１４は、施錠位置と解錠位置において可動磁石１２にそれぞれ吸着し、鎌部材６を施錠位置又は解錠位置に保持する。ハンドル７は、枢軸５を挟んで鎌部材６と反対側へ延出し、その自重で鎌部材６を常時解錠位置側へ回動付勢する。受け部材３は、鎌部材６が施錠位置にあって引き戸Ｄが閉じられるとき、鎌部材６の先端部が摺接してこれを解錠方向へ所定角度回動させる摺動斜面１６ｂを具備する。鎌部材６は、定角度位置まで回動すると、ハンドル７の自重により解錠位置まで自動回動し、固定磁石１４に保持される。
【発明の効果】
【０００６】
本発明の引き戸用錠装置は、受け部材側の摺動斜面と、ハンドルの自重による鎌部材の解錠位置への回転付勢、磁石による保持という簡易な構成によって、鎌部材が施錠位置にあって引き戸が閉じられても、鎌部材を衝撃なく解錠位置へ回転させて保持できる。
【図面の簡単な説明】
【０００７】
【図１】本発明に係る引き戸用錠装置の室内側から見た正面図である。
【図２】図１の引き戸用錠装置の一部を切欠した背面図である。
【図３】図１の引き戸用錠装置の側面図である。
【図４】図１の引き戸用錠装置の平面図である。
【図５】図１のＶ−Ｖ断面図である。
【図６】図１の引き戸用錠装置の動作を示す説明図である。
【発明を実施するための形態】
【０００８】
図面を参照して本発明の実施の形態を説明する。
引き戸用錠装置１は、引き戸Ｄに固定される錠本体２と、引き戸Ｄを閉めたときに錠本体２に対向するように戸枠Ｆに固定される受け部材３とを具備する。
【０００９】
錠本体２は、引き戸Ｄに固定される錠ケース４と、この錠ケース４に枢軸５で枢支される鎌部材６と、これと一体回動可能に設けられるハンドル７とを具備する。鎌部材６とハンドル７とは、枢軸５を挟んで互いに反対側へほぼ直線状に延出する。鎌部材６は、ハンドル７の操作で、ほぼ水平に延びる下方の施錠位置と、ほぼ垂直に延びる上方の解錠位置との間を９０°正逆回動可能である。ハンドル７は、その自重で鎌部材６を常時解錠位置側へ回動付勢する。引き戸Ｄが閉じられた状態で鎌部材６が施錠位置に回動されると受け部材３に係合する。
【００１０】
受け部材３の前面板１５の前面（引き戸Ｄ側）には、合成樹脂製のカバー部材１６が固着される。カバー部材１６は、鎌部材６を前面板１５の後方空間へ受け入れるスロット１６ａと、このスロット１６ａの下縁から下方に向かって徐々に前方へ出る摺動斜面１６ｂとを具備する。摺動斜面１６ｂは、引き戸Ｄが戸枠Ｆに当たる面より引き戸Ｄ側に突出している。鎌部材６が施錠位置にあって引き戸Ｄが閉じられるとき、引き戸Ｄが戸枠Ｆに当たる前に、鎌部材６の先端部が摺動斜面１６ｂに摺接して解錠方向へ所定角度押し上げられる。
【００１１】
ハンドル７の基端側には、鎌部材６の基端側を受け入れる受け入れ部８と枢軸５が一体に形成されている。受け入れ部８は、錠ケース４の外側に位置し、鎌部材６の基端側をそれの延伸方向に移動自在に受け入れる受け凹部８ａを具備する。受け凹部８ａ内には、鎌部材６をそれの先端方向へ付勢するばね９が挿入される。
【００１２】
受け入れ部８には、受け凹部８ａを貫通するガイドピン１０が枢軸５と同心上に螺合される。鎌部材６は、基端側にそれの延長方向に延びる長孔６ａを備え、これにガイドピン１０が貫通するので、この長孔６ａの範囲で延長方向に移動自在である。
【００１３】
枢軸５には、錠ケース４内においてこれと一体に施錠位置と解錠位置の間を正逆回転するように、磁石ホルダ１１が固着される。磁石ホルダ１１は、枢軸５と一体に施錠位置と解錠位置の間を正逆回転し、この回転軸心に対して半径方向外側へ延びる突片１１ａを具備する。この突片１１ａ上に可動磁石１２が固着される。
【００１４】
錠ケース４内には、磁石ホルダ１１の施錠位置と解錠位置において可動磁石１２に吸着するように、互いに９０°離れた回転角度位置に、第１及び第２の固定磁石１３，１４が固着される。したがって、鎌部材６は、施錠位置又は解錠位置において磁力で保持される。
【００１５】
施解錠の操作は次のように行われる。鎌部材６が引き戸Ｄの内側において垂直に起立した解錠位置にある状態で引き戸Ｄを閉じ、ハンドル７を水平位置まで９０°回して鎌部材６を受け部材３に係合させて施錠する。この操作において、鎌部材６が施錠位置、すなわち引き戸Ｄから戸枠側へ突出した状態で引き戸Ｄを閉じると、鎌部材６の先端が受け部材３の摺動斜面１６ｂを摺動して押し上げられ、可動磁石１２が固定磁石１３から引き離される。このため、鎌部材６は、ハンドルの自重で解錠位置へ起立するまで自然回転し、可動磁石１２が固定磁石１４に吸着して保持される。なお、鎌部材６の先端が受け部材３の摺動斜面１６ｂに衝突するとき衝撃を受けても、ばね９を圧縮しつつハンドル６側へ後退するので、損傷を受けることはない。また、引き戸Ｄを勢いよく閉めて戸枠Ｆに強く衝突させても、磁石１２，１３の吸着力とハンドル６の自重が抵抗となるので、鎌部材６が予期せずに施錠側へ回転することがない。
【符号の説明】
【００１６】
１      錠装置
２      錠本体
３      受け部材
４      錠ケース
５      枢軸
６      鎌部材
７      ハンドル
８      受け入れ部
８ａ    受け凹部
９      ばね
１０    ガイドピン
１１    磁石ホルダ
１１ａ  突片
１２    可動磁石
１３    第１の固定磁石
１４    第２の固定磁石
１５    カバー部材
１５    前面板
１６    カバー部材
１６ａ  スロット
１６ｂ  摺動斜面
Ｄ      引き戸
Ｆ      戸枠
【図１】
2019183498.tif 000003
【図２】
2019183498.tif 000004
【図３】
2019183498.tif 000005
【図４】
2019183498.tif 000006
【図５】
2019183498.tif 000007
【図６】
2019183498.tif 000008
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
引き戸に固定される錠ケースと、当該錠ケースに枢軸により前記引き戸から突出した下方の施錠位置と前記引き戸の位置側へ引き込まれた上方の解錠位置との間を回動可能に支持される鎌部材と、当該鎌部材を施錠位置と解錠位置との間で回動させるように当該鎌部材と一体回動可能に設けられるハンドルとを具備する錠本体と、
前記引き戸を閉めたときに前記錠本体に対向するように戸枠に固定され、前記ハンドルの操作で回動する前記鎌部材が係脱可能な受け部材とを具備し、
前記錠本体はさらに、前記錠ケース内において可動磁石を保持して前記ハンドル及び前記鎌部材と一体に施錠位置と解錠位置との間を回動する磁石ホルダと、施錠位置と解錠位置において前記可動磁石にそれぞれ吸着して前記鎌部材を施錠位置又は解錠位置に保持するように前記錠ケース内に固着される第１及び第２の固定磁石とを具備し、
前記ハンドルは、前記枢軸を挟んで前記鎌部材と反対側へ延出し、その自重で前記鎌部材を常時解錠位置側へ回動付勢するように設けられ、
前記受け部材は、前記鎌部材が前記引き戸から突出した施錠位置にあって前記引き戸が閉じられるとき、前記鎌部材の先端部が上方へ摺接してこれを解錠方向へ所定角度回動させる摺動斜面を具備し、
前記鎌部材は、前記摺動斜面により所定角度押し上げられると、前記ハンドルの自重により解錠位置まで回動し、前記第２の固定磁石に保持されるように設けられることを特徴とする引き戸用錠装置。
【請求項２】
前記ハンドルは、前記枢軸に枢支される基端側において、前記鎌部材の基端側をそれの延伸方向に所定区より移動自在に受け入れると共に、当該鎌部材をそれの先端方向へ付勢するばねを保持する受け凹部を具備し、
前記鎌部材が施錠位置において前記受け部材の斜面に衝突したとき前記ばねを圧縮して衝突の衝撃が緩衝されるように構成されることを特徴とする請求項１に記載の引き戸用錠装置。
【請求項３】
前記鎌部材は、前記ハンドルの受け凹部内において前記枢軸と同心上のガイドピンを貫通させる延伸方向の長孔を具備し、施錠位置において前記受け部材の斜面に衝突したとき前記ばねを圧縮して衝突の衝撃が緩衝されるように設けられることを特徴とする請求項２に記載の引き戸用錠装置。
【請求項４】
前記鎌部材と前記ハンドルは、施錠位置においてほぼ水平に直線状に延び、解錠位置において垂直にほぼ直線状に延びるように、前記枢軸を中心に９０°回動自在に設けられることを特徴とする請求項１ないし３のいずれかに記載の引き戸用錠装置。